(57)【要約】  引出しガイド（４）用の引出しレール（１１）であって、引出しレール（１１）は、・引出し（３）に固定可能または固定される第１のレール（１２）と、・引出しガイド（４）の本体レール（９）または中間レール（１４）に配置可能または配置される第２のレール（１３）と、有し、・第１のレール（１２）と第２のレール（１３）とは、被嵌によって互いに結合可能であり、第１のレール（１２）と第２のレール（１３）とは、結合状態において、少なくとも１つのロック要素（２１）によって互いにロックされており、ロック要素（２１）は、蓄力器（２５）の力によってロック位置の方向に予荷重が加えられており、ロック要素（２１）は、第２のレール（１３）に配置されており、第１のレール（１２）が第２のレール（１３）に被嵌される際に、ロック要素（２１）が、ロック位置から出発し、蓄力器（２５）の力に抗し、取付け状態において水平方向に延在する軸線（２６）の周りに、引出しガイド（４）の本体レール（９）または中間レール（１４）に向かって解除位置に旋回可能である。
2021517057.tif 000002
【特許請求の範囲】
【請求項１】
引出しガイド（４）用の引出しレール（１１）であって、
前記引出しレール（１１）は、
・引出し（３）に固定可能または固定される第１のレール（１２）と、
・前記引出しガイド（４）の本体レール（９）または中間レール（１４）に配置可能または配置される第２のレール（１３）と、有し、
・前記第１のレール（１２）と前記第２のレール（１３）とは、被嵌によって互いに結合可能であり、前記第１のレール（１２）と前記第２のレール（１３）とは、結合状態において、少なくとも１つのロック要素（２１）によって互いにロックされており、前記ロック要素（２１）は、蓄力器（２５）の力によってロック位置の方向に予荷重が加えられている、引出しガイド（４）用の引出しレール（１１）において、
前記ロック要素（２１）は、前記第２のレール（１３）に配置されており、前記第１のレール（１２）が前記第２のレール（１３）に被嵌される際に、前記ロック要素（２１）が、前記ロック位置から出発し、前記蓄力器（２５）の前記力に抗し、取付け状態において水平方向に延在する軸線（２６）の周りに、前記引出しガイド（４）の前記本体レール（９）または前記中間レール（１４）の方向に解除位置に向けて旋回可能である、ことを特徴とする、引出しガイド（４）用の引出しレール（１１）。
【請求項２】
前記ロック要素（２１）は、前記第２のレール（１３）の前方の端部領域に、可動に支持されている、ことを特徴とする、請求項１記載の引出しレール。
【請求項３】
少なくとも１つの前記ロック要素（２１）が、前記第２のレール（１３）の開口部（２２）を通してガイドされている、ことを特徴とする、請求項１または２記載の引出しレール。
【請求項４】
少なくとも１つの前記ロック要素（２１）と、前記蓄力器（２５）とは、互いに一体的に構成されているか、または互いに別々の構成部材として構成されている、ことを特徴とする、請求項１から３までのいずれか１項記載の引出しレール。
【請求項５】
前記第１のレール（１２）に少なくとも１つの突出部（２４ａ，２４ｂ）が配置されているかまたは構成されており、少なくとも１つの前記ロック要素（２１）は、少なくとも１つの前記突出部（２４ａ，２４ｂ）に解除可能にロック可能である、ことを特徴とする、請求項１から４までのいずれか１項記載の引出しレール。
【請求項６】
少なくとも１つの前記突出部（２４ａ，２４ｂ）は、少なくとも１つの傾斜面（３５）を有し、前記傾斜面（３５）により、前記ロック要素（２１）は、前記レール（１２，１３）の被嵌の際に前記解除位置の方向に移動可能である、ことを特徴とする、請求項５記載の引出しレール。
【請求項７】
前記第１のレール（１２）に少なくとも２つの突出部（２４ａ，２４ｂ）が設けられており、前記突出部（２４ａ，２４ｂ）は、前記第１のレール（１２）の長手方向（Ｌ）に互いに離隔されており、前記ロック要素（２１）は、前記第１のレール（１２）および前記第２のレール（１３）のプリロック位置において前記第１突出部（２４ａ）によりロックされ、前記第１のレール（１２）と前記第２のレール（１３）との前記結合状態において前記第２突出部（２４ｂ）によりロックされる、ことを特徴とする、請求項５または６記載の引出しレール。
【請求項８】
前記ロック要素（２１）は、第１の当接面（３７ａ）および少なくとも１つの第２の当接面（３７ｂ）を有し、前記第１の当接面（３７ａ）または択一的に前記第２の当接面（３７ｂ）は、前記第１のレール（１２）に係合可能であり、これにより、前記第２のレール（１３）は、完全な閉鎖位置から出発して、前記第１の当接面（３７ａ）と前記第１のレール（１２）との共働により、または択一的には前記第２の当接面（３７ｂ）と前記第１のレール（１２）との共働により、開放位置に移動可能である、ことを特徴とする、請求項１から７までのいずれか１項記載の引出しレール。
【請求項９】
少なくとも１つのレール（１２，１３）は、２つの側方ウェブ（１２ａ，１２ｂ，１３ａ，１３ｂ）と、前記側方ウェブ（１２ａ，１２ｂ，１３ａ，１３ｂ）を結合する中央ウェブ（１２ｃ，１３ｃ）とを有し、前記ロック要素（２１）は、前記レール（１２，１３）の前記結合状態において、前記レール（１２，１３）の前記中央ウェブ（１２ｃ，１３ｃ）によって覆われている、ことを特徴とする、請求項１から８までのいずれか１項記載の引出しレール。
【請求項１０】
前記レール（１２，１３）をロック解除するロック解除装置（３３）が設けられており、前記ロック解除装置（３３）は、一方のレール（１２，１３）に配置されている少なくとも１つの係合要素（３０）を有し、前記係合要素（３０）は、前記レール（１２，１３）の前記結合状態において、他方の前記レール（１２，１３）に配置されておりかつ高さ方向（Ｈ）に遊びを有する凹部（３１）に収容されている、ことを特徴とする、請求項１から９までのいずれか１項記載の引出しレール。
【請求項１１】
前記凹部（３１）は、制御曲面（３２）を有し、前記係合要素（３０）は、前記レール（１２，１３）の前記結合状態から出発して、前記第２のレール（１３）に対して相対的に高さ方向（Ｈ）に前記第１のレール（１２）を手動で持ち上げることにより、前記制御曲面（３２）に沿ってガイド可能である、ことを特徴とする、請求項１０記載の引出しレール。
【請求項１２】
前記制御曲面（３２）は、前記引出し（３）の引出し方向（Ａ）に延在する部分（３２ａ）を有し、前記係合要素（３０）は、高さ方向（Ｈ）に前記第１のレール（１２）が持ち上げられた後、引出し方向（Ａ）に延在する前記部分（３２ａ）に沿い、構成部材と一緒に引出し方向（Ａ）に制限されて移動可能である、ことを特徴とする、請求項１１記載の引出しレール。
【請求項１３】
前記制御曲面（３２）は、第１の前記部分（３２ａ）に続く垂直部分（３２ｂ）を有し、前記係合要素（３０）は、第１の前記部分（３２ａ）に沿って移動した後、前記第２のレール（１３）に対して相対的に、高さ方向（Ｈ）に手動で前記第１のレール（１２）を下降させることにより、前記垂直部分（３２ｂ）に沿って案内可能であり、前記第１のレール（１２）は、前記垂直部分（３２ｂ）に沿って前記係合要素（３０）が移動した後、前記第２のレール（１３）から取り外し可能である、ことを特徴とする、請求項１２記載の引出しレール。
【請求項１４】
家具本体（２）に固定可能な本体レール（９）と、請求項１から１３までのいずれか１項記載の引出しレール（１１）とを備えた引出しガイド（４）であって、前記引出しレール（１１）は、前記本体レール（９）に対して相対的に移動可能に支持されている、引出しガイド（４）。
【請求項１５】
家具本体（２）、前記家具本体（２）に対して相対的に移動可能に支持されている引出し（３）、および請求項１から１３までのいずれか１項記載の引出しレール（１１）、または請求項１４に記載の引出しガイド（４）を有する家具（１）であって、前記第１のレール（１２）は、前記引出し（３）に、また前記第２のレール（１３）は、前記家具本体（２）にあらかじめ取り付けられており、前記引出し（３）に結合されている前記第１のレール（１２）は、被嵌によって前記第２のレール（１３）に結合可能である、家具（１）。
【請求項１６】
請求項１から１３までのいずれか１項記載の引出しレール（１１）の第１のレール（１２）と第２のレール（１３）とを結合する方法であって、
・第１方法ステップにおいて、引出しガイド（４）の本体レール（９）または中間レール（１４）に配置可能または配置された第２のレール（１３）に、引出し（３）に固定可能または固定された前記第１のレール（１２）を被せ、
・第２方法ステップにおいて、前記第１のレール（１２）を前記第２のレール（１３）に被嵌し、
・第３方法ステップにおいて、前記蓄力器（２５）の前記力に抗し、取付け状態において水平方向に延在する軸線（２６）の周りに、前記引出しガイド（４）の前記本体レール（９）または前記中間レール（１４）の方向に、前記第２のレール（１３）の前記ロック要素（２１）を解除位置に向けて旋回させ、
・第４方法ステップにおいて、前記蓄力器（２５）の前記力により、前記ロック要素（２１）をロック位置に移動させ、これにより、２つの前記レール（１２，１３）を互いにロックする、方法。
【請求項１７】
前記レール（１２，１３）間の前記ロックを解除するために、前記第１のレール（１２）を前記第２のレール（１３）に対して相対的に持ち上げ、引き続いて引出し方向（Ａ）に移動し、引き続いて前記第２のレール（１３）に対して相対的に下降させ、引き続いてさらに引出し方向（Ａ）に移動させる、ことを特徴とする、請求項１６記載の方法。
【発明の詳細な説明】
【技術分野】
【０００１】
本発明は、引出しガイド用の引出しレールに関し、この引出しレールは、
・引出しに固定可能または固定される第１のレールと、
・引出しガイドの本体レールまたは中間レールに配置可能または配置される第２のレールと、を有し、
・第１のレールと第２のレールとは、被嵌によって互いに結合可能であり、第１のレールと第２のレールとは、結合状態において、少なくとも１つのロック要素によって互いにロックされており、ロック要素は、蓄力器の力によってロック位置の方向に予荷重が加えられている。
【０００２】
本発明はさらに、ここで説明される上記の形式の少なくとも１つの引出しレールを備えた引出しガイドと、家具本体および家具本体に対して相対的に走行可能に支持されている引出しを備えた家具とに関する。本発明はさらに、引出しガイドにおける引出しレールの第１のレールと第２のレールとを接続する方法に関する。
【０００３】
独国特許出願公開第１９８２８７１８号明細書には、引出しガイドの引出し可能なガイドレールに引出しを解除可能に固定するロック装置が示されており、ここでは引出しは、ガイドレールに取り付ける際に被され、ばねによって荷重が加えられた係止ロックが引出しの係止開口部に自動的に係止されるまで後方に移動される。これによって保証されるのは、通常動作において引出しが、ガイドレールに対して相対的に移動できないように支持されることである。係止ロックは、取付け状態において、垂直方向に直線的に移動可能に支持されており、かつ下方の端部領域に取っ手を有し、引出しとガイドレールとの間のロックは、係止ロックへの下方に向けられた手動の引張動作によって解除可能である。ここでの欠点は、下方に突出する係止ロックに起因して、引出しガイドの構成スペースを比較的に大きく寸法設定しなければならないことである。
【０００４】
独国実用新案第２０２０１３１０００１３号明細書には、家具本体に固定可能な本体レールと、引出しに固定可能な引出しレールと、中間レールとを備えた引出しガイドが示されており、この中間レールは、本体レールと引出しレールとの間に走行可能に支持されている。引出しレールの前端部には、ばね舌片の形態の弾性的な押圧要素が配置されており、このばね舌片は、引出しが引出しレールに被嵌される際に、上方に向かって湾曲可能であり、引き続いて引出しは、引出しレールに対して相対的にロックされる。ここでの欠点は、取り付けられた引出しにおいてもばね舌片が見えてしまうことである。
【０００５】
オーストリア国特許出願公開第５１８２３２号明細書には、引出しガイドおよび引出し側壁を有する引出し装置が示されており、支持レールは、引出し側壁に固定に結合されている。引出し側壁の支持レールの前端部には、操作要素が旋回可能に支持されており、この操作要素は、引出し側壁が被嵌される際、引出しガイドの引出しレールと解除可能にロック可能である。ここでの欠点は、引出しガイドとロックするためにそれぞれの引出しに操作要素を備え付けなければならないことである。
【０００６】
本発明の課題は、上で検討した欠点を回避して、冒頭に述べた形式の引出しレールを提供することである。
【０００７】
この課題は、本発明により、請求項１の特徴的構成によって解決される。本発明の別の有利な実施形態は、従属請求項に示されている。
【０００８】
本発明によれば、ロック要素は、第２のレールに配置されており、第１のレールが第２のレールに被嵌される際に、ロック要素は、ロック位置から出発し、蓄力器の力に抗し、取付け状態において水平方向に延在する軸線の周りに、引き出し用引出しガイドの本体レールまたは中間レールに向かって解除位置に旋回可能であるようにされる。
【０００９】
したがってロック要素は、引出しレールの取付け状態において、水平方向に延在する軸線の周りに旋回可能に支持され、これにより、引出しは、引出しガイドに取り付ける際に第１のレールに被せられ、またロック要素が、引出しの重量により、蓄力器の力に抗して、解除位置の方向に下方に移動するまで、引出しは後方に移動することができ、また引出しは、押入れの移動を継続した際には、蓄力器の力により、解除可能にロック可能である。
【００１０】
引出しレールの取付け状態において、水平方向に延在する軸線の周りに旋回可能に支持されているロック要素のこの特徴は、冒頭に述べた独国特許出願公開第１９８２８７１８号明細書から出発したとしても想到できない手段である。というのは、独国特許出願公開第１９８２８７１８号明細書に記載された下方に突出する取っ手は、引出しとガイドレールとの間のロックを解除するための実質的な技術的特徴だからである。
【００１１】
本発明の利点は、引出しに配置されている第１のレールが第２のレールに被嵌される際に、高さ方向における吊り下げ行程が必要でないことにある。したがって取り付けの際、ロック要素がまず下方に移動し、引き続いて蓄力器の力によって再びスナップ式に持ち上がり、ひいては引出しが、第２のレールに対して相対的に自動的にロックされるまでは、引出しは、水平方向に延在する面において第２のレールに被嵌可能である。したがってロックのために高さ方向における所要スペースは不要であり、このことは、特に、家具本体において作業プレートの下に直接に引出しを取り付けようとし、結果的に引出しと、作業プレートの下面との間に極めてわずかな間隔しかない場合には有利であることが判明している。
【００１２】
ロック要素は、第２のレールに支持されている。アプローチを改善するために有利であり得るのは、ロック要素が、第２のレールの前方の端部領域に、可動に支持されていることである。
【００１３】
一実施例では、ロック要素が、第２のレールの開口部を通してガイドされるようにすることが可能である。これにより、コンパクトかつ視覚的に目立たない構成が得られる。というのはロック要素が、大部分がレールのレール断面内に配置されており、ロック要素のロックのために設けられている部分だけが、第２のレールから突出しているからである。好適には、開口部が、好ましくは取付け状態において水平方向に延在する、第２のレールの中央ウェブに配置されているようにする。
【００１４】
少なくとも１つのロック要素と蓄力器とは、互いに一体的に構成されていてよいか、または互いに別々の構成部材として構成されていてもよい。一体で構成される際には、蓄力器は、プラスチック部材の材料弾性によって形成可能である。しかしながらばね力を増大するのに有利であり得るのは、蓄力器が、ロック要素とは別の機械的なばね要素（例えば鋼鉄製の板ばねとしてばね）を含む場合である。
【００１５】
本発明による引出しガイドは、家具本体に固定可能な本体レールと、上述の形式の引出しレールとを有し、引出しレールは、本体レールに対して相対的に移動可能に支持されている。家具本体の前面に対して相対的に引出しを完全に引き出せるようにするために、付加的な中間レールを設けることができ、この中間レールは、本体レールと引出しレールとの間に移動可能に支持されている。
【００１６】
引出しレールの第１のレールと第２のレールとを結合する、本発明による方法の特徴は、
・第１方法ステップにおいて、引出しガイドの本体レールまたは中間レールに配置可能または配置された第２のレールに、引出しに固定可能または固定された第１のレールを被せ、
・第２方法ステップにおいて、第１のレールを第２のレールに被嵌し、
・第３方法ステップにおいて、蓄力器の力に抗し、取付け状態において水平方向に延在する軸線の周りに、引出しガイドの本体レールまたは中間レールの方向に、第２のレールのロック要素を解除位置に向けて旋回させ、
・第４方法ステップにおいて、蓄力器の力により、ロック要素をロック位置に移動させ、これにより、２つのレールを互いにロックする、
ことである。
【００１７】
図面に示した実施例に基づき、本発明のさらなる詳細および利点を説明する。
【図面の簡単な説明】
【００１８】
【図１】引出しガイドにより、家具本体に対して相対的に走行可能に支持されている引出しを備えた家具を示す斜視図である。
【図２】引出しガイドに固定可能な引出しおよび引出しガイドに取り付けられた引出しを示す斜視図である。
【図３】引出しガイドに固定可能な側壁を示す斜視図および拡大詳細図ならびに第１および第２のレールの斜視図である。
【図４】時間的に連続したステップで第２のレールへの第１のレールの被嵌を示す図である。
【図５】第２のレールへの第１のレールの継続された被嵌を示す図である。
【図６】種々異なる断面図でレールの結合状態を示す図である。
【図７】時間的に連続したステップでレールのロック解除を示す図である。
【図８】第１および第２のレールを備えた引出しレールおよび機能ヘッドを種々異なる方向から見た斜視図である。
【図９】わずかに変更された一実施形態の機能ヘッドを斜視図で、また第２のレールに取り付けた状態で示す図である。
【図１０】レール間で誤ってロックされている、引出しガイドにおける引出しの取り付けを示す図である。
【図１１】レール間の正しい結合の形成を示す図である。
【００１９】
図１には、キャビネット形状の家具本体２を有する家具１が示されており、引出し３は、引出しガイド４を介し、家具本体２に対して相対的に走行可能に支持されている。引出し３は、前板５と、引出し底板６と、側壁７と、背壁８とを有する。引き出し用引出しガイド４は、固定部分１０ａ，１０ｂを介して家具本体２に固定可能な本体レール９と、本体レール９に対して相対的に移動可能な少なくとも１つの引出しレール１１とを有する。引出しレール１１は、少なくとも２つの部分で構成されており、引出し３に固定可能であるかまたは固定される第１のレール１２（図２ａ）と、引出しガイド４に配置可能であるかまたは配置される第２のレール１３とを有する。家具本体２に対して相対的に引出し３を完全に引き出させるようにするために、本体レール９と引出しレール１１との間に移動可能に支持される付加的な中間レール１４をさらに設けることができる。最初に家具本体２において対向する第２のレール１３に引出し３が被嵌されることにより、引出し３は、引出しガイド４に取り付けられる。引き続き、水平方向に延在する軸線２６（図４ａ）の周りに旋回可能な少なくとも１つのロック要素２１によって第１のレール１２と第２のレール１３とが互いに自動的にロックされ、これにより、第１のレール１２および第２のレール１３は、結合状態において互いに相対的に固定して配置されるまで、引出し３に固定されている第１のレール１２が、第２のレール１３に長手方向（Ｌ）に被嵌される。
【００２０】
図２ａには、引出しガイド４に取り付け可能な引出し３が斜視図で示されており、引出し３の一方の側壁７は、見通し易くするために図示省略されている。引出しレール１１の、引出し３に配置されている第１のレール１２が見て取れ、ここでは、第１のレール１２の前方の端部領域に、前板５を固定するための第１固定アダプタ１６と、第１のレールの１２の後方の端部領域に、背壁８を固定するための第２固定アダプタ１７とが配置されている。第１のレール１２は、長手方向（Ｌ）に延在しかつ実質的に互いに平行に離隔されている２つの側脚若しくは側方ウェブ１２ａを有し、これらの側脚１２ａのうち１つには、弾性的に湾曲可能なばね折り返しの形態の少なくとも１つのばね手段１８が配置されている。第１のレール１２のばね手段１８は、レール１２，１３の結合状態において第２のレール１３に当接し、これにより、レール１２，１３の横方向の移動を互い制限することができる。図示した実施例では、第１のレール１２には、長手方向（Ｌ）に互いに離隔された２つのばね手段１８，１９が設けられている。第２のレール１３の後端部にはつめ１５が配置されており、つめ１５により、移動方向２０において、第２のレール１３に対して相対的に、第１のレール１２の被嵌経路が制限され、またつめ１５により、取付け状態において、引出し３の後方の端部領域は、長手方向（Ｌ）に対して横方向で安定化される。引出しガイド４の本体レール９は、固定部分１０ａ，１０ｂを介して家具本体２に取り付けられ、また引出しレール１１の第２のレール１３および中間レール１４は、固定された本体レール９に対して相対的に移動可能に支持されている。引出し３は、引出し３の側壁７と結合されている第１のレール１２が、移動方向２０に、引出しガイド４の第２のレール１３に被嵌されることにより、第２のレール１３に取り付けられる。
【００２１】
図２ｂには、引出しガイド４における引出し３の結合状態が示されており、第２のレール１３は大部分が、断面においてＵ字形に構成されている、第１のレール１２の断面プロフィール内に収容されており、レール１２，１３は、ばね手段１８，１９により、長手方向（Ｌ）に対して横方向に延在する方向において、好適にはレール１２，１３の長手方向方向（Ｌ）に対して横に延在する方向において遊びなく互いに配置されている。
【００２２】
図３ａには、本体レール９と、中間レール１４と、引出し３の第１のレール１２と結合可能な第２のレール１３とを備えた引出しガイド４が示されている。
【００２３】
図３ｂには、図３ａにおいて丸印で囲まれた領域が拡大図で示されており、この拡大図では、レール１２，１３の解除可能なロックのための可動に支持されたロック要素２１が示されている。ロック要素２１は、第２のレール１３の前方の端部領域に配置されており、第２のレール１３の開口部２２を通してガイドされている。第１のレール１２が第２のレール１３に被嵌される際に、ロック要素２１は、ロック位置から出発し、蓄力器２５の力に抗し、取付け状態において水平方向に延在する軸線２６の周りに、引き出し用ガイド４の本体レール９または中間レール１４に向かって、解除位置に旋回可能である。
【００２４】
図３ｃには、引出しガイド４の第２のレール１３と、側壁４に結合可能な第１のレール１２とが斜視図で示されている。第２のレール１３は、好適には互いに平行に延在する２つの側脚若しくは側方ウェブ１３ａと、２つの側脚１３ａを結合する中央ウェブ１３ｃとを有する。第２のレール１３の中央ウェブ１３ｃは、例えば、可動のロック要素２１が貫通する矩形の開口部２２を有する。ロック要素２１は、長手方向（Ｌ）に固定して配置されておりかつ第２のレール１３の中央ウェブ１３ｃに対してほぼ直角に一方向に可動に支持されている。図示した実施例では、ロック要素２１は、正面側の機能ヘッド２３と組み合わされて一体で構成されており、機能ヘッド２３は、大部分が第２のレール１３のレール断面内に収容されている。第１のレール１２も同様に、好適には互いに平行に延在する、２つの側脚１２ａと、２つの側脚１２ａを結合する中央ウェブ１２ｃとを有する。さらに第１のレール１２には、引出し底板６用の支持脚１２ｄが設けられている。第１のレール１２、好適には中央ウェブ１２ｃは、下方に向かって突出した少なくとも１つの突出部２４ａを有し、突出部２４ａは、第２のレール１３のロック要素２１に解除可能にロック可能である。図示した実施例では、長手方向（Ｌ）に互いに離隔された２つの突出部２４ａ，２４ｂが設けられており、ロック要素２１は、第１のレール１２と第２のレール１３とのプリロック位置において第１突出部２４ａに、また第１のレール１２と第２のレール１３との結合状態において、第２突出部２４ｂに解除可能にロック可能である。突出部２４ａ，２４ｂは、第１のレール１２の中央ウェブ１２ｃから下方に折り曲げられている。択一的には、突出部２４ａ，２４ｂは、第１のレール１２とは別体の、第１のレール１２に固定される構成部材として実施可能である。
【００２５】
図４ａ〜４ｄには、第２のレール１３への第１のレール１２の被嵌が長手方向断面図で示されている。第１のレール１２には、長手方向（Ｌ）に互いに離隔された２つの突出部２４ａ，２４ｂが配置されており、突出部２４ａ，２４ｂは、第１のレール１２の中央ウェブ１２ｃから下方に向かって突き出ている。第２のレール１３の前端部には、ロック要素２１を備えた機能ヘッド２３が配置されており、ロック要素２１は、取付け状態において、水平方向に延在する軸線２６に周りに旋回可能に支持されている。引出しガイド４に引出し３を取り付けるために、引出し３に結合されている第１のレール１２は、家具本体２にあらかじめ取り付けられている第２のレール１３の前方の端部領域に被せられ、移動方向２０に移動され、第１のレール１２の中央ウェブ１２ｃと、第２のレール１３の中央ウェブ１３ｃとがまず互いに接して滑走する。第１のレール１２がさらに移動方向２０に継続して移動することにより、第１のレール１２の前縁部は、第２のレール１３のロック要素２１に当接する（図４ｂ）。第１のレール１２がさらに移動方向２０に移動することにより、第２のレール１３のロック要素２１は、蓄力器２５の力に抗して、水平方向に延在する軸線２６の周りに旋回する（図４ｃ）。第１のレール１２の第１突出部２４ａが、第２のレール１３の中央ウェブ１３ｃに被嵌されることにより、第１のレール１２は、間隙２７を形成して第２のレール１３から持ち上がり、これにより、力を蓄えた蓄力器２５が弛緩され、ロック要素２１は、軸線２６の周りに再び上方に弾性的に戻る（図４ｄ）。このことの利点は、２つのレール１２，１３が、被嵌の際にそれらの平坦な中央ウェブ１２ｃおよび１３ｃを介してではなく、突出部２４ａ，２４ｂだけを介して互いに接触することである。これにより、摩擦抵抗および場合によってはレール１２，１３の被嵌の際の不快な雑音発生を低減することができ、これにより、レール１２，１３の被嵌は、平滑かつ静かに行われる。
【００２６】
図５ａ〜５ｄには、第１のレール１２を継続して移動方向２０に移動させる様子が示されており、ここでは２つの突出部２４ａ，２４ｂは、中央ウェブ１２ｃ，１３ｃ間に間隙２７を形成し、第２のレール１３に沿って滑走する（図５ａ）。第１のレール１２の第１突出部２４ａにより、ロック要素２１は、水平方向の軸線２６の周りに、蓄力器２５の力に抗して移動し（図５ｂ）、続いてロック要素２１は、第１突出部２４ａにより、プリロック位置にロックされる（図５ｃ）。このプリロック位置の利点は、第１のレール１２が、第２のレール１３のロック要素２１によってキャッチされ、また移動経路が実質的に決定され、引出し３と引出しガイド４との間のロックが行われたという確実な感覚がユーザに伝えられることである。移動方向２０とは逆に第１のレール１２を手動で引っ張ることによってプリロック位置を解除することは、この時点以降、もはや不可能である。最終的な結合を形成するために、ユーザには、異なる２つの可能性がある。第１変化形態によれば、第１のレール１２は、図５ｃに示したプリロック位置から出発して、移動方向２０にさらに移動可能であり、ロック要素２１は、第１のレール１２の第２突出部２４ｂにより、蓄力器２５の力に抗して、再び下方に押される（図５ｄ）。これに続いて第２突出部２４ｂは、ロック要素２１により、蓄力器２５の力の作用によって自動的にロックされ、これにより、レール１２，１３は、これらの結合状態になり、ロック要素２１により、長手方向（Ｌ）に互いに固定される（図５ｅ）。第２変化形態によれば、第１のレール１２は（したがってまたこれに結合された第２のレール１３も）、図５ｃに示したプリロック位置から出発して、引出し３を開けることにより、移動方向２０とは逆に移動することができ、続いて引出し３ははずみがついて再び家具本体２に入り、上で説明したロック過程（図５ｄ、図５ｅ）が同様に行われる。ロック位置（図５ｅ）を起点として、レール１２，１３のロックは、移動方向２０とは逆に第１のレール１２を手動で引っ張ることによって解除できない。このことは、レール１２，１３が意図せずに互いに解除されることを回避することであり、安全性の一側面を表している。
【００２７】
図６ａには、レール１２，１３の結合状態が示されており、第２のレール１３のロック要素２１は、第１のレール１２の第２突出部２４ｂにロックされている。図６ｂには、図６ａにおいて丸印で囲まれた領域「Ａ」が拡大図で示されている。ロック要素２１が、レール１２，１３の結合状態において第１のレール１２の中央ウェブ１２ｃによって覆われていることが見て取れる。図示した実施例において、ロック要素２１は、レール１２，１３の結合状態において、第１のレール１２の中央ウェブ１２ｃの下面に当接している。ロック要素２１が覆われることの利点は、レール１２，１３の結合状態において、ロック要素２１の意図しない操作が回避されることである。ロック位置の方向にロック要素２１に力を加える蓄力器２５は、図示した図において、ロック要素２１とは別体の鋼鉄製の板ばねとして形成されており、この板ばねは、湾曲した端部領域により、ロック要素２１に押圧されている。図６ｃには、図６ａにおいて丸印で囲まれた領域「Ｂ」が拡大図で示されている。第２のレール１３の正面側の端部に支持された機能ヘッド２３は、少なくとも１つのばねダンパ２８を有し、ばねダンパ２８により、レール１２，１３は、結合状態において長手方向（Ｌ）に遊びなしに互いに配置されている。すなわち結合状態において、引出し３の前板５に配置された、または構成された金具２９は、機能ヘッド２３のばねダンパ２８を押圧する。これにより、レール１２，１３間の残りの遊びを長手方向（Ｌ）に解消可能である。
【００２８】
操作快適性を高めるために家具１は、家具本体２内にまたは家具本体２において引出し３をその閉鎖された最終位置から開放位置に排出可能な排出装置を有することが多い。特に取っ手のない引出し３では、閉鎖された最終位置から家具本体２の方向に引出し３を動かすことによって作動され得るように排出装置が構成されていることが多い。このためには、引出し３が、その閉鎖された最終位置において、ある程度の遊びが許容されるようにする必要がある。ばねダンパ２８により、引出し３がその閉鎖された最終位置から出発して、ばねダンパ２８の力に抗して家具本体２の方向に移動可能であるようにすることができ、これにより、タッチ・ラッチ機能によって排出装置を作動させることができる。ばねダンパ２８は、特にいわゆる押込み引出しにおいて使用され、押込み引出しでは、引出し３の前板５は、閉鎖位置において家具本体２の前縁部に当接することなく、家具本体２の側壁間に配置されている。押込み引出しとして構成されている引出し３の前板５に押圧力を加えることにより、第１のレール１２は、ばねダンパ２８の力に抗し、第２のレール１３に対して相対的に移動することができ、これにより、ばねダンパ２８が変形するか湾曲して排出装置を作動させることができる。排出装置を作動させた後、第１のレール１２は、場合によっては排出装置のサポートにより、開始位置に戻ることが可能である。図示した実施例において、ばねダンパ２８は、少なくとも１つの凹ませることの可能なプラスチック部材によって構成される。択一的には、ばねダンパ２８が、ばねによって力が加えられる、引出し３用の当接部分を有することが可能である。
【００２９】
図７ａ〜７ｅには、第２のレール１３のロック要素２１が第１のレール１２の突出部２４ｂにロックされている結合状態から出発する、レール１２，１３のロック解除が示されている。レール１２，１３のロック解除のためにロック解除装置３３が設けられており、ロック解除装置３３は、第１のレール１２に配置されている少なくとも１つの係合要素３０を有し、係合要素３０は、レール１２，１３の結合状態において、第２のレール１３に配置されておりかつ高さ方向（Ｈ）に遊びを有する凹部３１に収容されている。凹部３１は、制御曲面３２を有し、係合要素３０は、レール１２，１３の結合状態から出発して、第２のレール１３に対して相対的に第１のレール１２を手動で持ち上げることにより、制御曲面３２に沿ってガイド可能である。すなわち、ロック要素２１を突出部２４ｂから解除するためには、まず第１のレール１２を人間が第２のレール１３に対して相対的に、高さ方向（Ｈ）に値Δｘ１だけ持ち上げなければならない（図７ｂ）。持ち上げられた後、第１のレール１２は、人間によって引出し方向（Ａ）に移動され、これにより、係合要素３０は、引出し３の引出し方向（Ａ）に延在する制御曲面３２の部分３２ａに沿って、構成部材と一緒に移動させられる（図７ｃ）、ここでは好適には、部分３２ａは水平線に対して少なくとも部分的に斜めに延在している。これにより、係合要素３０は、第２のレール１３に対して相対的に値Δｘ２だけ持ち上げ可能である。図７ｄに示したように、引き続いて第１のレール１２は、手動で力を加えることにより、高さ方向（Ｈ）に下降され、係合要素３０は、制御曲面３２の垂直部分３２ｂに沿って移動される。このようにしてはじめて第１のレール１２は、第２のレール１３とは無関係に移動可能であり、図７ｅに示したように、第１のレール１２は、引出し方向（Ａ）をさらに移動され、これにより、引出し３を引出しガイド４から取り外すことができる。すなわちレール１２，１３のロック解除は、あらかじめ定められた移動パターンにより、すなわち図示した実施例において、第１のレール１２を高さ方向Ｈに持ち上げ（図７ｂ）、引出し方向Ａに引き出し（図７ｃ）、高さ方向Ｈに下降させ（図７ｄ）、引き続いて引出し方向Ａに引き出す（図７ｅ）ことによって行われる。この移動の組み合わせは、引出しガイド４からの引出し３の意図しない引き離しをいずれにせよ回避しようとするもので、安全性の一側面を表している。特にここで保証しようとしているのは、引出し３（特に、これが家具本体２における最も下段の引出し３の場合）が、上方への単なる引張動作によっては、引出しガイド４から取り外せないようにすることである。すなわち、引張動作を行った後、引出し３は、引出し３を引出しガイド４から取り外せるようにするために、再度下降させなければない（図７ｄ）。
【００３０】
図８ａには、引出し３に配置される第１のレール１２と、引出しガイド４に配置される第２のレール１３とを有する引出しレール１１の斜視図が示されている。このレール１２，１３は、結合状態においてはロック要素２１によって互いにロックされている。少なくとも１つの突出部２４ａ，２４ｂは、傾斜面３５を有することでき、傾斜面３５により、ロック要素２１は、レール１２，１３の被嵌の際に解除位置の方向に移動可能である。第１のレール１２に配置されている係合要素３０を見て取ることができ、係合要素３０は、レール１２，１３のロック解除過程において、図７ａ〜７ｅに関連して示されかつ説明されているように、第２のレール１３に配置されている制御曲面３２と共働する。制御曲面３２は、例えば、第２のレール１３の凹部３１の縁部によって形成可能である。
【００３１】
図８ｂおよび図８ｃには、第２のレール１３の前端部に配置可能な機能ヘッド２３の異なる２つの斜視図が示されている。ロック要素２１に力を加えるために、例えば板ばねの形態の少なくとも１つの蓄力器２５が設けられている。押し込み可能なばねダンパ２８も見て取ることができ、ばねダンパ２８により、レール１２，１３は、長手方向（Ｌ）に遊びなしに互いに配置可能であり、またばねダンパ２８により、引出し３をその閉鎖された最終位置から出発して、ばねダンパ２８の力に抗して、家具本体２の方向に移動可能させることができ、これにより、タッチ・ラッチ機能によって排出装置を作動させることできる。さらに機能ヘッド２３は、例えば丸型溝の形態の凹部３６を有し、これにより、係合要素３０は、レール１２，１３の被嵌の際およびこれらを取り外す際には、第２のレール１３の機能ヘッド２３と衝突しない。
【００３２】
図９ａには、わずかに変更された一実施形態の機能ヘッド２３が示されている。ロック要素２１は、第１の当接面３７ａおよび少なくとも１つの第２の当接面３７ｂを有し、第１の当接面３７ａまたは択一的には第２の当接面３７ｂは、第１のレール１２に係合可能であり、これにより、第２のレール１３は、完全な閉鎖位置から出発して、第１の当接面３７ａと第１のレール１２との共働により、または択一的には第２の当接面３７ｂと第１のレール１２との共働により、開放位置に移動可能である。すなわち、第２の当接面３７ｂは、第１のレール１２との誤ったロックの際に、完全な閉鎖位置から出発して、引出しガイド４の第２のレール１３を開放位置に連行するために設けられている。誤ったロックは、例えば、引出し３を極めてゆっくり押し入れて移動することによって引き起こされることがあり、これにより、第１のレール１２が、第１の当接面３７ａと正常に結合されないことがある。図９ｂには、図９ａに示した機能ヘッド２３が、第２のレール１３の前方の端部領域における取付け状態で示されており、ロック要素２１の２つの当接面３７ａ，３７ｂは第２のレール１３から上に向かって突出している。２つの当接面３７ａ，３７ｂは第２のレール１３の長手方向（Ｌ）に互いに離隔されており、第２のレール１３の長手方向（Ｌ）に対して実質的に垂直に延在している。第１のレール１２と、第２のレール１３のロック要素２１とが正常にロックされる場合、第１のレール１２の一部分が、ロック要素２１の第１の当接面３７ａに当接する。これに対し、第１のレール１２と、第２のレール１３とが誤ってロックされる場合、第２のレール１３は、第２の当接面３７ｂと第１のレール１２との共働により、完全な閉鎖位置から出発して、開放位置に連行されることが可能となっている。
【００３３】
第１のレール１２が、引出し３の取り付けの際に、図１０ａから出発して、引出しガイド４の第２のレール１３に被嵌される場合、第２のレール１３のロック要素２１は、第１突出部２４ａとの共働により、そのばねによる作用に抗して下方に湾曲する（図１０ｂ）。引出し３の第１のレール１２がさらに閉鎖方向に押される場合、引出し３の前板５は、家具本体２の前面２ａに当接し、したがって閉鎖方向にさらに移動することはできない（図１０ｃ）。しかしながら図１０ｃにおいて同様に見て取ることできるのは、第２のレール１３のロック要素２１が、第１のレール１２の第２突出部２４ｂと正常にロックされていないことである。というのは、第２突出部２４ｂは、ロック要素２１に直接に載置されているからである。しかしながら第１のレール１２と第２のレール１３との間の誤ったロックは、閉鎖方向に引出し３を継続して移動することによっては修正することができない。というのは、前板５は、家具本体２の前面２ａに当接し、ひいては引出し３の閉鎖方向へのさらなる移動が阻止されているからである。しかしながらレール１２，１３間の誤ったロックは、引出し３が、開放位置に不適切にとどまってしまってしまうことにもなり得る。
【００３４】
レール１２，１３間で正しいロックを形成するために、まず引出し３（ひいては第１のレール１２）を引出し方向（Ａ）に引っ張り（図１１ａを参照されたい）、ここでは第１のレール１２、例えば第１のレール１２の第２突出部２４ｂは、ロック要素２１の第２の当接面３７ｂに連結可能である。レール１２と、ロック要素２１の第２の当接面３７ｂとが共働することにより、第２のレール１３は、完全な閉鎖位置から出発して、開放位置に引っ張ることが可能である。
【００３５】
図１１ｂでは、引出し３は再び押入れ方向（Ｅ）に移動されており、第２突出部２４ｂと第２の当接面３７ｂとの間の相対位置は、レール１２，１３間に発生する摩擦によって変化しないままである。押入れ方向（Ｅ）への引出し３の移動を継続することにより、第１のレール１２（ひいては第２突出部２４ｂ）は、押入れ方向（Ｅ）にさらに移動し、これにより、ロック要素２１は再び弾性的に戻り、第１の当接面３７ａは、第１のレール１２、好適には第１のレール１２の第２突出部２４ｂに遊びなしに当接する。レール１２，１３間の正しいロックは、図１１ｃに示されており、ここではレール１２，１３は、ロック状態において互いに相対的に固定に配置されている。
【図１】
2021517057.tif 000003
【図２ａ】
2021517057.tif 000004
【図２ｂ】
2021517057.tif 000005
【図３ａ】
2021517057.tif 000006
【図３ｂ】
2021517057.tif 000007
【図３ｃ】
2021517057.tif 000008
【図４ａ】
2021517057.tif 000009
【図４ｂ】
2021517057.tif 000010
【図４ｃ】
2021517057.tif 000011
【図４ｄ】
2021517057.tif 000012
【図５ａ】
2021517057.tif 000013
【図５ｂ】
2021517057.tif 000014
【図５ｃ】
2021517057.tif 000015
【図５ｄ】
2021517057.tif 000016
【図５ｅ】
2021517057.tif 000017
【図６ａ】
2021517057.tif 000018
【図６ｂ】
2021517057.tif 000019
【図６ｃ】
2021517057.tif 000020
【図７ａ】
2021517057.tif 000021
【図７ｂ】
2021517057.tif 000022
【図７ｃ】
2021517057.tif 000023
【図７ｄ】
2021517057.tif 000024
【図７ｅ】
2021517057.tif 000025
【図８ａ】
2021517057.tif 000026
【図８ｂ】
2021517057.tif 000027
【図８ｃ】
2021517057.tif 000028
【図９ａ】
2021517057.tif 000029
【図９ｂ】
2021517057.tif 000030
【図１０ａ】
2021517057.tif 000031
【図１０ｂ】
2021517057.tif 000032
【図１０ｃ】
2021517057.tif 000033
【図１１ａ】
2021517057.tif 000034
【図１１ｂ】
2021517057.tif 000035
【図１１ｃ】
2021517057.tif 000036
【国際調査報告】
2021517057.tif 000037
2021517057.tif 000038
2021517057.tif 000039
2021517057.tif 000040